(57)【要約】      （修正有）【課題】ベルトコンベヤの乗り継ぎ箇所の既設設備に設置が可能で、ベルトコンベヤにおいて乗り継ぎ箇所のテール側からの落鉱を著しく軽減し得る落鉱防止装置及び乗り継ぎ設備を提供する。【解決手段】複数のベルトコンベヤを乗り継いで鉱石を搬送する搬送装置におけるベルトコンベヤの乗り継ぎ設備１０であって、上方ベルトコンベヤを用いて搬送されてきた鉱石を下方ベルトコンベヤのコンベヤベルト１４面上に落下させて鉱石の乗り継ぎ箇所に備わる前記上方ベルトコンベヤの搬送出口側に受入口１１ａを有し、前記下方ベルトコンベヤの搬送入口側に排出口を有し、前記排出口端部に前記下方ベルトコンベヤ方向に向かって一端が固定され、他端が自由となるように取付けられる複数分割されたスカート部１２，１３を備えるホッパー１１と、前記ホッパーに取付けられて、前記スカート部の拡がりを抑える落鉱防止装置５を備えることを特徴とする。【選択図】図１
2018047999.tif 000002
【特許請求の範囲】
【請求項１】
複数のベルトコンベヤを乗り継いで鉱石を搬送する搬送装置におけるベルトコンベヤの乗り継ぎ設備であって、上方ベルトコンベヤを用いて搬送されてきた鉱石を下方ベルトコンベヤのコンベヤベルト面上に落下させて鉱石の乗り継ぎを行う方式の乗り継ぎ箇所に備わる前記上方ベルトコンベヤの搬送出口側に受入口を有し、前記下方ベルトコンベヤの搬送入口側に排出口を有し、前記排出口端部に下方ベルトコンベヤ方向に向かって一端が固定され、他端が自由となるように取付けられる複数分割されたスカート部を備えるホッパーと、前記ホッパーに取付けられて、前記スカート部の拡がりを抑える落鉱防止装置を備えることを特徴とするベルトコンベヤ乗り継ぎ設備。
【請求項２】
コの字型の平面形状を有する押さえ板と、前記押さえ板の下方ベルトコンベヤ対向面に固定された接触板と、前記押さえ板の接触板を有する面の反対面に接触板押圧用ウェイトを備え、かつ前記押さえ板、接触板及び接触板押圧用ウェイトがアームを介して前記ホッパーに下方ベルトコンベヤの前後方向に可動に取付けられるとともに、前記接触板が、下方ベルトコンベヤのコンベヤベルトの表面に対する押圧状態を維持され、前記押さえ板が、前記ホッパーに備えられるスカート部の拡がりを押さえる構成となしていることを特徴とする落鉱防止装置。
【請求項３】
コの字型の平面形状を有する押さえ板と、前記押さえ板の下方ベルトコンベヤ対向面に固定された接触板と、前記押さえ板の接触板を有する面の反対面に接触板押圧用ウェイトを備え、かつ前記押さえ板、接触板および接触板押圧用ウェイトがアームを介して前記ホッパーに下方ベルトコンベヤの前後方向に可動に取付けられた構造のベルトコンベヤ乗り継ぎ設備用落鉱防止装置であって、前記接触板が、下方ベルトコンベヤのコンベヤベルトの表面に対する押圧状態を維持され、前記押さえ板が、ベルトコンベヤ搬送入口側のベルトコンベヤの左側方向、右側方向、及び搬送逆方向を囲んで、鉱石のベルトコンベヤからの落鉱を防止する構成となしていることを特徴とするベルトコンベヤ乗り継ぎ設備用落鉱防止装置。
【発明の詳細な説明】
【技術分野】
【０００１】
本発明は、複数のベルトコンベヤにより鉱石を搬送する際のベルトコンベヤ乗り継ぎ部における鉱石の落鉱を防止する手段に関するものである。
【背景技術】
【０００２】
鉱石などを複数のベルトコンベヤを乗り継いで運搬するベルトコンベヤ方式の搬送設備において、搬送中にコンベヤベルトからの落鉱やベルトコンベヤの乗り継ぎ箇所での、乗り継ぎの際の落鉱を防止することは、生産性の面や保全性の面から、従来取り組みがなされている（例えば、特許文献１、特許文献２など参照）。
【０００３】
図４は、複数のベルトコンベヤを用いた搬送装置における一般的なベルトコンベヤの乗り継ぎ箇所２０の概略を示す模式図であり、上方ベルトコンベヤ２４Ｕから下方ベルトコンベヤ２４Ｌへ搬送物を乗継ぎする時の乗り継ぎ箇所２０を示している。通常、上方ベルトコンベヤ２４Ｕ側が搬送経路における上流側となっている。
図４において、１６は鉱石などの搬送物、２０は乗り継ぎ箇所、２１はホッパー、２２は側面側スカート、２３はテール側（ベルトコンベヤ搬送入口側）スカート、２４はコンベヤベルトである。
【０００４】
通常、ベルトコンベヤの乗継ぎ箇所２０は周囲への落鉱を防止する目的で、金属製のホッパー２１等で覆われ、またベルトコンベヤと接触するとコンベヤベルト２４を傷めてしまうため、ゴム製のスカート（側面側スカート２２、テール側スカート２３）をホッパー２１に取付け、そのホッパー取り付け側と反対側をコンベヤベルト２４に接触させ、コンベヤベルト２４の動きに追従させることで、コンベヤベルト２４との隙間を無くす構造となっている。このスカートの材質や構造については、各コンベヤメーカーで落鉱防止や長寿命を目的とした構造や材質が種々採用されている。
【０００５】
しかしながら、上記落鉱防止の装置は、側面からの落鉱を防止する側面側スカート２２のみを持つものがほとんどで、テール側からの落鉱を防止するスカート（テール側スカート２３）を備える装置は少なく、備えた装置であっても材質がゴム製のスカートがほとんどである。この材質がゴム製のスカートでは、前工程からの荷の落下の衝撃でコンベヤベルト２４が撓んだ時やゴムが摩耗することで、コンベヤベルト２４との間に隙間ができ、落鉱が発生してしまう。また側面側スカート２２とテール側スカート２３との間にも隙間ができ、その隙間からも落鉱が発生していた。
【先行技術文献】
【特許文献】
【０００６】
【特許文献１】特開平８−２５８９４２号公報
【特許文献２】特開２０００−７２２２０号公報
【発明の概要】
【発明が解決しようとする課題】
【０００７】
そこで、本発明は、上記問題点を解決するためになされたもので、通常のゴム製のスカートを改造することなく既設設備に設置が可能であり、ベルトコンベヤ乗り継ぎ箇所においてテールからの落鉱を著しく軽減し得る落鉱防止装置、及びその落鉱防止装置を備えたベルトコンベヤ乗り継ぎ設備の提供を目的とするものである。
【課題を解決するための手段】
【０００８】
本発明の第１の発明は、複数のベルトコンベヤを乗り継いで鉱石を搬送する搬送装置におけるベルトコンベヤの乗り継ぎ設備であって、上方ベルトコンベヤを用いて搬送されてきた鉱石を下方ベルトコンベヤのコンベヤベルト面上に落下させて鉱石の乗り継ぎを行う方式の乗り継ぎ箇所に備わる前記上方ベルトコンベヤの搬送出口側に受入口を有し、前記下方ベルトコンベヤの搬送入口側に排出口を有し、前記排出口端部に下方ベルトコンベヤ方向に向かって一端が固定され、他端が自由となるように取付けられる複数分割されたスカート部を備えるホッパーと、前記ホッパーに取付けられて、前記スカート部の拡がりを抑える落鉱防止装置を備えることを特徴とするものである。
【０００９】
本発明の第２の発明は、前記第１の発明における落鉱防止装置が、コの字型の平面形状を有する押さえ板と、前記押さえ板の下方ベルトコンベヤ対向面に固定された接触板と、前記押さえ板の接触板を有する面の反対面に接触板押圧用ウェイトを備え、かつ前記押さえ板、接触板及び接触板押圧用ウェイトがアームを介して前記ホッパーに下方ベルトコンベヤの前後方向に可動に取付けられるとともに、前記接触板が、下方ベルトコンベヤのコンベヤベルトの表面に対する押圧状態を維持され、前記押さえ板が、前記ホッパーに備えられるスカート部の拡がりを押さえる構成となしていることを特徴とするものである。
【００１０】
本発明の第３の発明は、コの字型の平面形状を有する押さえ板と、前記押さえ板の下方ベルトコンベヤ対向面に固定された接触板と、前記押さえ板の接触板を有する面の反対面に接触板押圧用ウェイトを備え、かつ前記押さえ板、接触板および接触板押圧用ウェイトがアームを介して前記ホッパーに下方ベルトコンベヤの前後方向に可動に取付けられた構造のベルトコンベヤ乗り継ぎ設備用落鉱防止装置であって、前記接触板が、下方ベルトコンベヤのコンベヤベルトの表面に対する押圧状態を維持され、前記押さえ板が、テール側のベルトコンベヤの左側方向、右側方向、及び搬送逆方向を囲んで、鉱石のベルトコンベヤからの落鉱を防止する構成となしていることを特徴とするものである。
【発明の効果】
【００１１】
上記した本発明の落鉱防止装置及び該落鉱防止装置を備えたベルトコンベヤ乗り継ぎ設備によれば、ベルトコンベヤ方式の搬送設備におけるベルトコンベヤの乗り継ぎ箇所において、鉱石のベルトコンベヤ外への散逸を大きく防ぐことができ、また落鉱した鉱石の処理を大きく低減し、落鉱による鉱石の損失も抑えることができ、その生産性を大きく向上させるもので、工業上顕著な効果を奏するものである。
【図面の簡単な説明】
【００１２】
【図１】本発明による落鉱防止装置を備えたベルトコンベヤ乗り継ぎ設備１０の概略を示す模式図で、（ａ）は左側面図、（ｂ）は正面図で、搬送方向は、紙面表から裏方向である。
【図２】本発明に係る落鉱防止装置５の概略を示す模式図で、（ａ）は平面図、（ｂ）は正面図、（ｃ）は側面図、（ｄ）はホッパー取り付け部を備えた落鉱防止装置の側面図である。
【図３】鉱石の落下時の衝撃などによるコンベヤベルトの変形に対応する落鉱防止装置５の動作状況を示す模式図である。
【図４】複数のベルトコンベヤを用いた搬送装置における一般的なベルトコンベヤの乗り継ぎ箇所の概略を示す模式図である。
【発明を実施するための形態】
【００１３】
本発明による落鉱防止装置が使用されるベルトコンベヤ乗り継ぎ設備の概略を、図１に示す。
図１において、１０は本発明の落鉱防止装置５を備えるベルトコンベヤ乗り継ぎ設備、５は本発明に係る落鉱防止装置、１１はホッパー、１１ａはホッパー受入口、１１ｂはホッパー排出口、１２は側面側スカート、１３はベルトコンベヤ搬送入口側スカート（以下、テール側スカートと称す）、１４はコンベヤベルトである。なお、ホッパー１１の形状は、図に示す四角筒型がスカートの装着や落鉱防止装置の装着の面から一般的で望ましいが、搬送方向以外に装着されるスカートが複数分割されたものであれば、その形状は問わない。
【００１４】
本発明の落鉱防止装置５は、ホッパー１１のベルトコンベヤ搬送入口側に装着されたテール側スカート１３をテール側から押さえ、側面側スカート１２を囲むようにして、かつコンベヤベルト１４を押さえ付ける形で、ウェイト２に設けられた取付けアーム３の取付け軸４を中心に円弧運動が可能なように、ホッパー１１側のホッパー側アーム１５に固定されている。
【００１５】
図２に、本発明に係る落鉱防止装置５の概略図を示す。図２（ａ）は平面図、（ｂ）は正面図、（ｃ）は側面図、（ｄ）はホッパー取付け部を備えた落鉱防止装置の側面図である。
本発明の特徴とするところは、前記課題を解決するためにベルトコンベヤのコンベヤベルトの進行力を利用して、ホッパー１１のテール側スカート１３及び側面側スカート１２を押さえ、搬送品の落下を押さえるものである。
図２に概略を示す本発明の落鉱防止装置５は、押さえ板１、接触板１ａ、接触板押圧用ウェイト２、取付けアーム３、取付け軸４、及びホッパー側アーム１５とで構成されている。なお、ホッパー側アーム１５のホッパー１１側にはホッパー取付けフランジ１５ａが装着されて、ホッパー取り付け部を形成している。
【００１６】
押さえ板１及び接触板１ａは、ベルトコンベヤのスカート部の寸法に併せて、側面側スカート１２を押さえることが可能なようにコの字形の平面形状を有する板部材（図２（ｂ））を採用し、該押さえ板１の下方ベルトコンベヤ対向面にコンベヤベルト１４と接触する、該押さえ板１と同一形状、同一の大きさの接触板１ａが装着されている。この接触板１ａはベルトコンベヤとの接触面にクッション性を持たせるために、例えばラバーゴムを張り付けたものを用いることができる。また、押さえ板１の接触板１ａを有する面の反対面には接触板押圧用ウェイト２が取付けられ、この接触板押圧用ウェイト２の上面に突設した左右一対の取付けアーム３に取付け軸４を介してホッパー側アーム１５が取付けられ、押さえ板１、接触板１ａ及び接触板押圧用ウェイト２が前記取付け軸４を支点に下方ベルトコンベヤの前後方向に可動となしている。
即ち、本発明の落鉱防止装置５は、コンベヤベルト１４が搬送方向（白抜き矢印方向）に動くときに、その接触面におけるコンベヤベルト１４との摩擦により、押さえ板１も搬送方向に押され、従って落鉱防止装置５自体も搬送方向に押されることになり、テール側スカート１３と密着することとなり、隙間を無くすことにより、落鉱が防止される構造となっている。
なお、押さえ板１にコの字形の平面形状を有する板部材を用いることとしたのは、前記したようにホッパー１１の排出口１１ｂに取付けられた側面側スカート１２を押さえることができるようにするためであり、従って、この押さえ板の凹部のサイズはホッパー１１の排出口１１ｂのサイズに合わせて形成することはいうまでもない。
【００１７】
図３は鉱石の落下時の衝撃などによるコンベヤベルトの変形に対応する落鉱防止装置５の動作状況を示す模式図である。
図３（ａ）は、ベルトコンベヤのベルト面１４ａが水平状態（標準状態）の時の落鉱防止装置５の状態を示し、（ｂ）はベルト面１４ａが搬送方向（白抜き矢印）に対して前下がりになった時の落鉱防止装置５の状態を示し、（ｃ）はベルト面１４ａが搬送方向に対して前上がりになった時の落鉱防止装置５の状態を示すものである。
【００１８】
図３（ｂ）、（ｃ）に見られるように、コンベヤベルトのベルト面１４ａの動きに追随して、取付け軸４を軸として、押さえ板１が円弧運動（黒矢印）を行い、接触板１ａをコンベヤベルトのベルト面１４ａに対する押圧状態を維持する様子がわかる。このように押圧状態を維持することにより落鉱防止装置５を搬送方向に押し続けることを可能とするものである。
【００１９】
なお、上記構成の本発明の落鉱防止装置５の場合、接触板１ａのコンベヤベルトとの接触面が摩擦により摩耗してもその接触面とコンベヤベルト面との間に隙間が生じないように、落鉱防止装置５を例えばバネなどによる弾性支持機構あるいは加圧機構などにより常に一定の押圧力が得られるように構成することも可能であることはいうまでもない。
【実施例】
【００２０】
本発明の実施例として、図２に示す本発明に係る落鉱防止装置５を備えたベルトコンベヤの乗り継ぎ設備１０（図１）を用い、比較例として図４に示すベルトコンベヤ乗り継ぎ箇所２０を用いて鉱石の搬送を行い、落鉱の程度を観察した。
その結果、本発明の実施例では、従来のベルトコンベヤを用いた比較例と比較して、落鉱量は、約１０分の１程度に低減することができた。
【符号の説明】
【００２１】
１  押さえ板
１ａ  接触板
２  （接触板押圧用）ウェイト
３  取付けアーム
４  取付け軸
５  落鉱防止装置
１０  ベルトコンベヤ乗り継ぎ設備
１１、２１  ホッパー
１１ａ  ホッパー受入口
１１ｂ  ホッパー排出口
１２  側面側スカート
１３  テール側スカート
１４  コンベヤベルト
１４ａ  ベルト面
１５  ホッパー側アーム
１５ａ  ホッパー取付けフランジ
１６  鉱石（搬送物）
２０  従来のベルトコンベヤ乗り継ぎ箇所
２２  側面側スカート
２３  テール側（ベルトコンベヤ搬送入口側）スカート
２４  コンベヤベルト
２４Ｕ  上方ベルトコンベヤ
２４Ｌ  下方ベルトコンベヤ
【図１】
2018047999.tif 000003
【図２】
2018047999.tif 000004
【図３】
2018047999.tif 000005
【図４】
2018047999.tif 000006